(57)【要約】【課題】簡易な構成により格納室内への水の浸入を防止することが可能な電子機器を提供する。【解決手段】本発明の一実施形態に係る携帯電話機は、機器本体１に形成されている凹部５の開口を蓋体によって閉塞したときに蓋体と凹部５とが互いに接合されて内部に格納室４が形成される構成を有している。そして、凹部５の接合面５１には、格納室４を包囲して延びる溝６が凹設され、蓋体と凹部５とが互いに接合された状態で溝６の底面と蓋体の接合面との間には、溝６による空間が形成されている。【選択図】図１１
2010226531.tif 000002
【特許請求の範囲】
【請求項１】
２つの筐体構成部材が互いに接合されて内部に格納室が形成されている電子機器において、前記２つの筐体構成部材の接合面の内、何れか一方の接合面には、前記格納室を包囲して延びる溝が凹設され、前記２つの筐体構成部材が互いに接合された状態で前記一方の接合面の溝の底面と他方の接合面との間には、前記溝による空間が形成されていることを特徴とする電子機器。
【請求項２】
前記２つの筐体構成部材は、開口を有する機器本体と、該機器本体に接合されて前記開口を閉塞する蓋体との組み合わせによって構成され、機器本体と蓋体が互いに接合された状態で前記格納室が形成され、機器本体と蓋体の接合面の内、何れか一方の接合面に前記溝が凹設されている請求項１に記載の電子機器。
【請求項３】
２つの筐体構成部材が互いに接合されて内部に格納室が形成されている電子機器において、前記２つの筐体構成部材の接合面の内、何れか一方の接合面には、前記格納室の周りに延びる溝が凹設されると共に、該溝の両端位置にて水を溜めることが可能な水溜め部が前記溝に連通した状態で形成されており、前記２つの筐体構成部材が互いに接合された状態で前記一方の接合面の溝の底面と他方の接合面との間には、前記溝による空間が形成されていることを特徴とする電子機器。
【請求項４】
前記２つの筐体構成部材は、開口を有する機器本体と、該機器本体に接合されて前記開口を閉塞する蓋体との組み合わせによって構成され、機器本体と蓋体が互いに接合された状態で前記格納室が形成され、機器本体と蓋体の接合面の内、何れか一方の接合面に、前記溝が凹設されると共に前記水溜め部が形成されている請求項３に記載の電子機器。
【請求項５】
前記蓋体は、前記機器本体の表面に沿ってスライドすることより前記機器本体の開口を閉塞するものである請求項２又は請求項４に記載の電子機器。
【発明の詳細な説明】
【技術分野】
【０００１】
本発明は、例えば機器本体と蓋体の組み合わせから成る２つの筐体構成部材が互いに接合されて内部に格納室が形成されている電子機器に関する。
【背景技術】
【０００２】
携帯電話機などの従来の電子機器には、充電池を格納するための格納室が形成されており、該格納室は、機器本体に形成されている凹部の開口を、蓋体によって閉塞することにより構成されている。
従来の電子機器においては、凹部の開口を蓋体によって閉塞した場合でも、凹部と蓋体との隙間から格納室の内部に水が浸入し、これにより充電池や電子部品などが破損する虞があった。
【０００３】
格納室内への水の浸入を防止すべく、蓋体と凹部との間にゴムパッキンを介在させることが提案されている（例えば、特許文献１参照）。
【先行技術文献】
【特許文献】
【０００４】
【特許文献１】特開２００８−４２７７１号公報
【特許文献２】特開２００６−３２０８９号公報
【発明の概要】
【発明が解決しようとする課題】
【０００５】
しかしながら、蓋体が、機器本体の表面に沿ってスライドすることにより凹部の開口を閉塞するものである場合、ゴムパッキンと蓋体との間の摩擦の作用によってゴムパッキンが摩耗し、防水効果が低下する問題があった。ゴムパッキンの摩耗を防止するためには、図１５に示す如く、蓋体１０１を、その一端を支点として回動させざるを得なかった（例えば、特許文献２参照）。
【０００６】
そこで本発明の目的は、簡易な構成により格納室内への水の浸入を防止することが可能な電子機器を提供することである。
【課題を解決するための手段】
【０００７】
本発明の第１態様に係る電子機器は、２つの筐体構成部材が互いに接合されて内部に格納室が形成されている電子機器であって、前記２つの筐体構成部材の接合面の内、何れか一方の接合面には、前記格納室を包囲して延びる溝が凹設され、前記２つの筐体構成部材が互いに接合された状態で前記一方の接合面の溝の底面と他方の接合面との間には、前記溝による空間が形成されている。
【０００８】
上記第１態様に係る電子機器においては、２つの筐体構成部材が互いに接合された状態では両接合面が接触するが、これらの間には、公差によって部分的に僅かな隙間が生じることになる。従って、電子機器への水の付着などにより外部から前記隙間に水が浸入した場合、該水は毛細管現象によって格納室に向けて吸い込まれ、溝の外側の縁に到達することになる。
【０００９】
しかし、溝の外側の縁に到達した水は、表面張力の作用によって溝には殆ど流れ込むことが出来ず、従ってその水は、溝の縁を該溝に沿って移動することになる。上記電子機器においては、格納室が溝によって包囲されているので、水は、溝の外側を該溝に沿って移動はするものの、その溝を越えて溝の内側に入り込むことが出来ない。
【００１０】
従って、上記電子機器は、ゴムパッキン等の防水用部材を用いずに格納室への水の浸入を防止することが可能である。又、ゴムパッキン等の防水用部材を用いる必要がないので、電子機器の構成が簡易となる。
【００１１】
上記第１態様に係る電子機器の具体的構成において、前記２つの筐体構成部材は、開口を有する機器本体と、該機器本体に接合されて前記開口を閉塞する蓋体との組み合わせによって構成され、機器本体と蓋体が互いに接合された状態で前記格納室が形成され、機器本体と蓋体の接合面の内、何れか一方の接合面に前記溝が凹設されている。
【００１２】
本発明の第２態様に係る電子機器は、２つの筐体構成部材が互いに接合されて内部に格納室が形成されている電子機器であって、前記２つの筐体構成部材の接合面の内、何れか一方の接合面には、前記格納室の周りに延びる溝が凹設されると共に、該溝の両端位置にて水を溜めることが可能な水溜め部が前記溝に連通した状態で形成されており、前記２つの筐体構成部材が互いに接合された状態で前記一方の接合面の溝の底面と他方の接合面との間には、前記溝による空間が形成されている。
【００１３】
上記第２態様に係る電子機器においては、２つの筐体構成部材が互いに接合された状態では両接合面が接触するが、これらの間には、公差によって部分的に僅かな隙間が生じることになる。従って、電子機器への水の付着などにより外部から前記隙間に水が浸入した場合、該水は毛細管現象によって格納室に向けて吸い込まれ、溝の外側の縁に到達することになる。
【００１４】
しかし、溝の外側の縁に到達した水は、表面張力の作用によって溝には殆ど流れ込むことが出来ず、従ってその水は、溝の縁を該溝に沿って移動することになる。上記電子機器においては、溝の両端位置に水溜め部が形成されているので、溝に沿って移動した水は水溜め部に溜まることになる。
【００１５】
従って、上記電子機器は、ゴムパッキン等の防水用部材を用いずに格納室への水の浸入を防止することが可能である。又、ゴムパッキン等の防水用部材を用いる必要がないので、電子機器の構成が簡易となる。
【００１６】
上記第２態様に係る電子機器の具体的構成において、前記２つの筐体構成部材は、開口を有する機器本体と、該機器本体に接合されて前記開口を閉塞する蓋体との組み合わせによって構成され、機器本体と蓋体が互いに接合された状態で前記格納室が形成され、機器本体と蓋体の接合面の内、何れか一方の接合面に、前記溝が凹設されると共に前記水溜め部が形成されている。
【００１７】
上記第１及び第２態様に係る電子機器の他の具体的構成において、前記蓋体は、前記機器本体の表面に沿ってスライドすることより前記機器本体の開口を閉塞するものである。
【００１８】
本発明に係る電子機器は、上述の如くゴムパッキン等の防水用部材を用いる必要がないので、蓋体がスライドするものであっても、ゴムパッキン等の防水用部材を用いた従来の携帯電話機に比べて、摩耗による防水効果の低下が発生し難い。
【発明の効果】
【００１９】
本発明に係る電子機器は、簡易な構成であるにも拘わらず、格納室内への水の浸入を防止することが可能である。
【図面の簡単な説明】
【００２０】
【図１】本発明の一実施形態に係る携帯電話機を閉じた状態で示した斜視図である。
【図２】該携帯電話機を開いた状態で示した斜視図である。
【図３】上記携帯電話機を背面側から見た斜視図である。
【図４】上記携帯電話機を、蓋体を取り外した状態で示した斜視図である。
【図５】機器本体への蓋体の取付け過程を説明するための斜視図である。
【図６】上記携帯電話機の背面図である。
【図７】図６に示すＡ−Ａ線に沿う断面図である。
【図８】図７に示すＢ領域の拡大図である。
【図９】図７に示すＣ領域の拡大図である。
【図１０】上記携帯電話機の機器本体の一部を構成する第１キャビネットを示した斜視図である。
【図１１】該第１キャビネットの背面図である。
【図１２】図１１に示すＤ領域の拡大図である。
【図１３】図１２に示すＥ−Ｅ線に沿う断面図である。
【図１４】上記携帯電話機の改良形態の一例を示した背面図である。
【図１５】従来の携帯電話機を示した側面図である。
【発明を実施するための形態】
【００２１】
以下、本発明を携帯電話機に実施した形態につき、図面に沿って具体的に説明する。
本発明の一実施形態に係る携帯電話機は、図１及び図２に示す如く機器本体１と、図３に示す如く機器本体１に取り付けられる蓋体２とを具えている。機器本体１は、第１キャビネット１１と第２キャビネット１２とをヒンジ機構１３によって開閉可能に連結して構成されている。第１キャビネット１１には、第２キャビネット１２との対向面に複数の操作釦１４が配備され、第２キャビネット１２には、第１キャビネット１１との対向面に液晶ディスプレイ１５が配備されている。又、図４に示す様に、第１キャビネット１１には更に、対向面とは反対側の面（背面）に開口した凹部５が形成されている。
【００２２】
蓋体２は、第１キャビネット１１の背面にスライド可能に取り付けられており、図５に示す如く第１キャビネット１１の背面に沿ってスライドすることにより凹部５の開口を閉塞するものである。
又、図８及び図９に示す様に、蓋体２と凹部５は、凹部５の開口を蓋体２によって閉塞した状態で互いに接合されることとなる接合面２１，５１を有している。尚、本実施形態においては、蓋体２の接合面２１は蓋体２の裏面によって構成されている。
【００２３】
従って、図７に示す様に、蓋体２によって凹部５の開口を閉塞することにより、凹部５と蓋体２とが接合され、その結果、凹部５と蓋体２によって囲まれた空間が内部に形成されることとなる。そして、該空間が充電池３を格納するための格納室４となる。
【００２４】
凹部５の接合面５１には、図１０及び図１１に示す如く、凹部５の開口を包囲して延びる溝６が凹設されている。従って、蓋体２によって凹部５の開口を閉塞して蓋体２と凹部５とが互いに接合された状態においては、格納室４は溝６によって包囲されることとなる。
尚、本実施形態においては、図８及び図９に示す様に、０．５ｍｍの深さを有した溝６が接合面５１に凹設されている。
【００２５】
図８及び図９に示す様に、溝６の内部は、蓋体２によって凹部５の開口を閉塞して蓋体２と凹部５とが互いに接合された状態において、中空のまま維持されている。従って、蓋体２と凹部５とが互いに接合された状態では、溝５１の底面と蓋体２の接合面２１との間に、溝６による空間が形成されることとなる。
【００２６】
本実施形態においては、図１０及び図１１に示す様に凹部５の接合面５１には更に、凹部５の開口周りの所定位置に、少量の水を溜めることが可能な水溜め部７が溝６に連通した状態で形成されている。
【００２７】
上述した携帯電話機においては、蓋体２によって凹部５の開口を閉塞して蓋体２と凹部５とが互いに接合された状態では両接合面２１，５１が接触するが、これらの間には、公差によって部分的に僅かな隙間が生じることになる。従って、図１２に示す様に、携帯電話機への水の付着などにより外部から前記隙間に水が浸入した場合、該水は毛細管現象によって格納室４に向けて吸い込まれ、図１３に示す如く溝６の外側の縁に到達することになる。
【００２８】
しかし、溝６の外側の縁に到達した水は、表面張力の作用によって溝６には殆ど流れ込むことが出来ず、従ってその水は、図１２に示す様に溝６の縁を該溝６に沿って移動することになる。上記携帯電話機においては、溝６は格納室４を包囲して延びているので、水は、溝６の外側を該溝６に沿って移動はするものの、その溝６を越えて溝６の内側に入り込むことが出来ない。
【００２９】
そして、溝６に沿って移動した水は、水溜め部７の縁に到達するか、又は移動の途中で蒸発する。水溜め部７の縁に到達した水は、図１２の矢印Ｆ１に示す様にそのまま水溜め部７に流れ込むか、或いは図１２の矢印Ｆ２に示す様に水溜め部の縁に沿って移動し、第１キャビネット内の別の部材などにより移動が阻止された時点で水溜め部７に流れ込む。水溜め部７に流れ込んだ水は、水溜め部７内に溜められ、次第に蒸発していく。
【００３０】
従って、上述した携帯電話機は、ゴムパッキン等の防水用部材を用いずに格納室４への水の浸入を防止することが可能である。即ち、上述した携帯電話機は、構成が簡易であるにも拘わらず、格納室４への水の浸入を防止することが可能である。
又、ゴムパッキン等の防水用部材を用いる必要がないので、蓋体２が上述の如くスライドするものであっても（図５参照）、ゴムパッキン等の防水用部材を用いた従来の携帯電話機に比べて、摩耗による防水効果の低下が発生し難い。
【００３１】
尚、本発明の各部構成は上記実施の形態に限らず、特許請求の範囲に記載の技術的範囲内で種々の変形が可能である。上述した携帯電話機においては水溜め部７を設けたが、本発明はこれに限らず、例えば水溜め部７がない構成であってもよい。該構成であっても、格納室４が溝６によって包囲されている限り、格納室４への水の浸入が防止されることとなる。
【００３２】
又、上述した携帯電話機においては溝６が格納室４を包囲して延びていたが、本発明はこれに限らず、例えば図１４に示す如く、溝６が格納室４の周りを部分的に延びた構成であってもよい。但し、該構成においては、溝６の両端位置に水溜め部７が溝６に連通した状態で設けられる。
上記構成においては、蓋体２と凹部５の接合面２１，５１の間に生じた隙間から水が浸入した場合、該水は毛細管現象によって格納室４に向けて吸い込まれ、溝６の外側の縁に到達することになる。しかし、溝６の外側の縁に到達した水は、表面張力の作用によって溝６には殆ど流れ込むことが出来ず、従ってその水は、溝６の縁を該溝６に沿って移動することになる。上記構成においては、溝６の両端位置に水溜め部７が形成されているので、溝６に沿って移動した水は水溜め部７に溜まることになる。従って、上記構成においても、ゴムパッキン等の防水用部材を用いない簡易な構成により、格納室４への水の浸入を防止することが可能である。
【００３３】
更に、上述した携帯電話機においては、凹部５の接合面５１に溝６が凹設されていたが、本発明はこれに限らず、蓋体２の接合面２１に溝６が凹設された構成であってもよい。
【００３４】
更に又、本発明は、上述の如く機器本体１（具体的には凹部５）と蓋体２との接合によって内部に格納室４が形成される携帯電話機に限らず、２つの筐体構成部材が互いに接合されて内部に格納室が形成される種々の電子機器に適用することが可能である。
【符号の説明】
【００３５】
１  機器本体（筐体構成部材）
２  蓋体（筐体構成部材）
２１  接合面
４  格納室
５  凹部
５１  接合面
６  溝
７  水溜め部
【図１】
2010226531.tif 000003
【図２】
2010226531.tif 000004
【図３】
2010226531.tif 000005
【図４】
2010226531.tif 000006
【図５】
2010226531.tif 000007
【図６】
2010226531.tif 000008
【図７】
2010226531.tif 000009
【図８】
2010226531.tif 000010
【図９】
2010226531.tif 000011
【図１０】
2010226531.tif 000012
【図１１】
2010226531.tif 000013
【図１２】
2010226531.tif 000014
【図１３】
2010226531.tif 000015
【図１４】
2010226531.tif 000016
【図１５】
2010226531.tif 000017